(57)【要約】【課題】  延縄を仕掛けなければならない時間的な制約の中で生餌の匂いを包有させて釣果が期待できるようにすると共に、作業を効率よく行えるようにすること。【解決手段】本発明に係る疑似餌の発明は、疑似餌の内部の空洞部に生餌の匂いを含浸させるための弾性を有する匂い含浸部材を配設し、該匂い含浸部材の側面に長さ方向に沿って切り込みを設け、該切り込みに前記鉤素を埋め込んで匂い含浸部材を着脱自在に支持させた構成にしたことにより、疑似餌を握り潰した状態で生餌の匂い付海水中に漬けて握りを緩めるだけで生餌の匂いを疑似餌の内部に保有させることができ、その生餌の匂いを少しずつ外部に拡散できるので長時間に渡って集魚効果が維持できるばかりでなく、特に、漁獲によって生餌の匂いを変える必要がある時に、匂い含浸部材は簡単に取り付け取り外ができるので、速やかに交換して別の生餌の匂い付海水を含浸させて釣果を上げるように切り換えることができる。【選択図】図１
2009278953.tif 000002
【特許請求の範囲】
【請求項１】
柔軟性を有する合成樹脂で魚形状または烏賊形状に形成し、外周面に形成した魚または烏賊の生きている状態とそっくりな着色を施すと共に内部を空洞部に形成し、該空洞部に連通させて魚形状の場合は尾鰭側を、烏賊形状の場合は足部側を開口部として形成し、一方の端部から開口部側に向けて鉤素を挿通して開口部側に釣針が取り付けられた疑似餌において、
該疑似餌の一方の端部側の空洞部内において挿通された鉤素に錘を挿通させ留め金を介して固定し、
前記空洞部内に生餌の匂いを含浸させるための弾性を有する匂い含浸部材を配設し、
該匂い含浸部材の側面に長さ方向に沿って切り込みを設け、該切り込みに前記鉤素を埋め込んで匂い含浸部材を着脱自在に支持させたこと
を特徴とする疑似餌。
【請求項２】
前記匂い含浸部材は連続気泡のスポンジ材であること
を特徴とする請求項１に記載の疑似餌。
【請求項３】
前記匂い含浸部材の一部に凹部を設けて発光手段を配設したこと
を特徴とする請求項１乃至２に記載の疑似餌。
【請求項４】
前記請求項１乃至３に記載の疑似餌を使用した延縄漁具であって、
該漁具を海中に張設する時点で、各枝縄の鉤素に取り付けられた疑似餌を海に投入する直前に、各疑似餌に生餌を粉砕して海水に溶かした匂い付海水を数秒間で順次含浸させることができる構成にしたこと  
を特徴とする延縄漁具。
【発明の詳細な説明】
【技術分野】
【０００１】
本発明は、主として漁師が業務用として使用するものであって、特に、遠洋漁業のマグロ延縄漁に使用されると好適であると共に、その他に例えば、一本釣り用やトローリング用としても使用できるもので、生餌の臭いを発散させると共に、存在をも知らしめるようにした疑似餌と該疑似餌を使用した延縄用漁具に関するものである。
【背景技術】
【０００２】
この種の臭いを発散させる疑似餌としては、種々の構成のものが公知になっている。第１の公知例として、例えば、スポンジ、フェルトなどの吸水性部材にて疑似餌を形成し、該疑似餌と生餌とを一緒に揉み込む様に、擦り合わせれば、吸水性部材にて形成された疑似餌の内部まで匂いが染み込み、これを釣針に付けて海中に投下して魚を釣る疑似餌が公知になっている（特許文献１）。
【０００３】
この疑似餌においては、吸水性部材にて形成された疑似餌の内部まで匂いが浸透しているため、疑似餌からの匂いの発散は長く持続し、魚を匂いで惹き寄せる効果が長くなり、疑似餌からは、生餌の匂いはするが、食べられないため小魚に食い取られることはないというものである。
【０００４】
第２の公知例として、例えば、シリコンゴム等の軟質材で形成する疑似餌本体にアルミン酸ストロンチウム、酸化アルミナ等を含んだ被放射性物質夜光塗料を混入してなり、疑似餌本体の目の部分を他の部分より輝度を上げてなること、および疑似餌本体の下部に切り目を入れエビの匂いを含浸させたカプセルを入れ、該カプセルは着脱自在である構成にした疑似餌が公知になっている（特許文献２）。
【０００５】
この疑似餌は、目の部分の輝度を上げることにより、より本物に近づけられること、および餌（エビ）の匂いを含浸させたカプセルを付設することにより魚の食い付を向上させることができるというものである。
【０００６】
第３の公知例として、例えば、プラスチックまたはゴムまたは化学繊維等により釣りの対象となる魚等の好む象形物を形成すると共に、該象形物の内部を空洞とし、空洞には当該魚等の好む餌または臭い剤を封入して、水中において当該餌または臭い剤が外部へ拡散されるようにした疑似餌が公知になっている（特許文献３）。
【０００７】
この疑似餌は、象形物の内部空洞にアミエビの生の餌や合成した臭い剤を入れて、生の餌や臭いを水中で拡散させ、生き餌に変わる疑似餌としてまた撒き餌をも不要とするし、季節とか天候、潮の緩慢に関係なく餌を確保することができる上に、海の生態系を狂わせたりすることなく、汚染の防止にも貢献できるというものである。
【０００８】
延縄用の疑似餌として、第４の公知例は、柔軟性を有する天然もしくは合成樹脂又はゴムからなり、胴部、頭部及び足部に相当する部分が一体的に形成され、胴部より足部側に向かって開口した中空部分を有する烏賊型中空疑似餌本体の胴部先端近傍に錘を内蔵し、該疑似餌本体の胴部先端部より、枝縄（釣元またはハリス）が胴部中空部分を通って頭部乃至足部側へ案内され、該枝縄端部に取り付けられた釣針が足部に配置されている疑似餌において、頭部乃至胴部の中空部分に付帯の少なくとも一部が装着され、海水中において枝縄で吊った状態を保つとき、該疑似餌がほぼ水平状態を保つことができるバランスを有する構成の疑似餌が公知になっている（特許文献４）。
【０００９】
この疑似餌は、装着された浮体の浮力のバランスによって水中にてほぼ水平に近い状態に保持させ、疑似餌に胴部先端部を起点とした上下の動きと、疑似餌本体自体の柔軟さとくびれや足の枝分かれ構造からくる揺れ（あおり）の動きによって、従来の疑似餌と比較してより活烏賊の泳ぎに近い動きをさせて誘魚効果を発揮し、魚の食い付を高めることができる。また、中空部分に烏賊腑などの誘魚性物質を内封すれば疑似餌としての効果を高めることができるというものである。
【００１０】
【特許文献１】実開平０７−３６６４９号公報
【特許文献２】特開平０９−２３８５９６号公報
【特許文献３】特開２０００−９３０４７号公報
【特許文献４】特開２００６−８７４１０号公報
【発明の開示】
【発明が解決しようとする課題】
【００１１】
前記特許文献１に記載の疑似餌は、疑似餌そのものをスポンジ、フェルトなどの吸水性部材で形成し、該疑似餌と生餌とを一緒に揉み込む様に擦り合わて生餌の匂いを内部まで染み込ませ、これを釣針に直接付けて魚を釣るというものであるが、例えば、遠洋漁業のような業務用マグロ延縄漁において、５０ｋｍを超える幹縄に２０〜３０ｍ間隔で取り付けられる１０ｍ前後の枝縄の鉤素に約２０００本程度の釣針を付けて漁をする場合に、船を走らせながら幹糸と枝縄を順次海に投入していくのであり、疑似餌と生餌とを擦り合わせて匂いを染み込ませる作業や釣針に疑似餌を付ける作業等が追い付かず実質的に不可であり、業務用の延縄漁には使用不可であり単に磯釣りで楽しむ程度にしか使用できないのである。
【００１２】
また、前記特許文献２に記載の疑似餌は、シリコンゴム等の軟質材で形成する疑似餌本体に夜光塗料を混入し、その疑似餌に蛍光灯等を照射して蓄光させてから釣針に疑似餌を付けて海に投入して釣りをするというものであり、また、疑似餌本体の下部に形成した切り目にエビの匂いを含浸させたカプセルを入れるとしているが、具体的なカプセルの構造や匂いの含浸の仕方が明らかでないのであり、この疑似餌はあくまでも海中で発光させて魚を集めること、また、カプセルに入った餌（エビ）の匂いが海中に徐々に溶出し、としていることから、簡易にはカプセルに対して餌の匂いを簡単には付けることができず、やはり磯釣りで楽しむ程度で業務用の延縄漁としての使用は実質的にできないものである。
【００１３】
さらに、前記特許文献３に記載の疑似餌は、プラスチック等により釣りの対象となる魚等の好む象形物に形成し、その内部を空洞とし、該空洞には当該魚等の好むアミエビ等の餌または臭い剤を封入して、水中において当該餌または臭い剤が外部へ拡散されるようにしたものであるが、象形物の内部に形成した空洞にアミエビ等の餌または臭い剤をどのようにして入れるのかが明確ではないし、また、臭い剤はあくまでも化学的に合成した香料であると認められるが、その臭い剤をどのような形にして封入するかについても明らかにされていないのであり、この疑似餌についてもアミエビ等の餌または臭い剤の封入作業に時間が掛かることから、磯釣りで楽しむ程度の疑似餌でしかないのであり業務用の延縄漁としての使用は実質的にできないものである。
【００１４】
前記特許文献４の疑似餌は、内部に装着した浮体の浮力のバランスによって、疑似餌を海水中においてほぼ水平に保つようにすることで、胴部先端部を起点とした上下動と揺れ（あおり）とを生じさせ、活烏賊の泳ぎに近い動きをさせて誘魚効果を発揮し、魚の食い付を高めるとしており、また、中空部分に烏賊腑などの誘魚性物質を内封すれば疑似餌としての効果を高めるとしている。ところが、烏賊腑などの誘魚性物質を中空部分に内封することができても、前記したように約２０００本程度の釣針を付ける延縄漁において、各疑似餌に詰めるだけの烏賊腑を準備すること自体が困難であると共に、単に詰めるだけであるとその詰めた位置によっては、浮体の浮力のバランスが崩れてほぼ水平にはならず、上下動と揺れも生じないことになり、活烏賊の泳ぎに近い動きがなくなり、先の誘魚効果がなくなってしまうのである。さらに、延縄漁は、船を走行させながら５０ｋｍにも及ぶ幹縄を疑似餌の付いた枝縄と共に順次海中に投入して張設するものであるが、疑似餌の中に烏賊腑を封入する作業は時間が掛かり過ぎて実質的に出来ないことであり、単に詰めただけであると、海中に投入した後に波の動きや潮流などにより短時間の内に、大半の疑似餌から烏賊腑が抜け落ちてしまい、実質的な誘魚の役目を果たさないのである。
【００１５】
従って、前記第１〜３の公知技術に係る疑似餌は、いずれも磯釣りを楽しむ程度のものでしかないのであり、大型の魚を効率よく漁獲する業務用の漁具として実質的に使用ができない点、第４の公知例に係る疑似餌は、中空部分に浮体を装着したものは作業性の面から使用可能であるが釣果は期待できないし、烏賊腑を封入する作業は時間的にできないのであり、これらを考慮して延縄を仕掛けなければならない時間的な制約の中で生餌の匂いを包有させて釣果が期待できるようにすると共に、作業を効率よく行えるようにすることに解決課題を有している。
【課題を解決するための手段】
【００１６】
本発明に係る疑似餌は、柔軟性を有する合成樹脂で魚形状または烏賊形状に形成し、外周面に形成した魚または烏賊の生きている状態とそっくりな着色を施すと共に内部を空洞部に形成し、該空洞部に連通させて魚形状の場合は尾鰭側を、烏賊形状の場合は足部側を開口部として形成し、一方の端部から開口部側に向けて鉤素を挿通して開口部側に釣針が取り付けられた疑似餌において、該疑似餌の一方の端部側の空洞部内において挿通された鉤素に錘を挿通させ留め金を介して固定し、前記空洞部内に生餌の匂いを含浸させるための弾性を有する匂い含浸部材を配設し、該匂い含浸部材の側面に長さ方向に沿って切り込みを設け、該切り込みに前記鉤素を埋め込んで匂い含浸部材を着脱自在に支持させた構成にしたことを特徴とするものである。
【００１７】
前記疑似餌に係る発明においては、前記匂い含浸部材は連続気泡のスポンジ材であること；及び、前記匂い含浸部材の一部に凹部を設けて発光手段を配設したこと；を付加的な要件として含むものである。
【００１８】
本発明に係る延縄漁具は、前記発明の疑似餌を使用した延縄漁具であって、該漁具を海中に張設する時点で、各枝縄の鉤素に取り付けられた疑似餌を海に投入する直前に、各疑似餌に生餌を粉砕して海水に溶かした匂い付海水を数秒間で順次含浸させることができる構成にしたことを特徴とするものである。
【発明の効果】
【００１９】
本発明に係る疑似餌においては、疑似餌の内部の空洞部に生餌の匂いを含浸させるための弾性を有する匂い含浸部材を配設し、該匂い含浸部材の側面に長さ方向に沿って切り込みを設け、該切り込みに前記鉤素を埋め込んで匂い含浸部材を着脱自在に支持させた構成にしたことにより、疑似餌を握り潰した状態で生餌の匂い付海水中に漬けて握りを緩めるだけで生餌の匂いを疑似餌の内部に保有させることができ、その生餌の匂いを少しずつ外部に拡散できるので長時間に渡って集魚効果が維持できるばかりでなく、特に、漁獲によって生餌の匂いを変える必要がある時に、匂い含浸部材は簡単に取り付け取り外ができるので、速やかに交換して別の生餌の匂い付海水を含浸させて釣果を上げるように切り換えることができるという優れた効果を奏する。
【００２０】
また、延縄漁具は、前記した疑似餌を使用しているので、５０ｋｍを超える幹縄に２０００本を超える枝縄が付いたものであっても、船を走行しながら海に仕掛ける作業において、各疑似餌の投入直前に各疑似餌の内部に配設した匂い含浸部材毎に生餌の匂い付海水を数秒間で順次含浸させることができるので、釣果の上がる機能を有する延縄漁具の仕掛け作業が容易に行えるという優れた効果を奏する。
【発明を実施するための最良の形態】
【００２１】
次に、本発明を図示の具体的な実施の形態に基づいて詳しく説明する。図１と図２は、第１の実施の形態に係る疑似餌の基本的な形態を示すものであり、図３と図４は、第２の実施の形態に係る疑似餌を示すものであり、図５は、前記実施の形態に係る疑似餌を使用した延縄の投下状況の一部を示す説明図であり、図６は同延縄の疑似餌に生餌の匂いを付ける状況を示す説明図である。
【００２２】
まず、第１の実施の形態に係る疑似餌１は、図１に示したように、延縄用の疑似餌であり、例えば、柔軟な合成樹脂で烏賊形状に形成したものであり、烏賊としての先端部側に耳（鰭）部２、胴部３、頭部４および足部５までを一連に一体的に形成し、その内部は足部５側が全面的に開口する空洞部１ａになっている。なお、外周面は、生きた烏賊と同様の色に着色してあり、頭部４には目なども目立つように印刷してある。
【００２３】
このような疑似餌１は、漁具または釣り具としての鉤素６に取り付けられるものであって、その鉤素６が疑似餌１の一端から開口部側に向けて空洞部１ａ内を挿通し、鉤素６に連結してある釣針７は足部５近辺からその一部が外部に露出するように取り付けられるのである。この場合の鉤素６は、釣針７に掛かった魚に食いちぎられないように細い強靱なワイヤで形成されており、その鉤素６に円錐形状の錘８が適宜の留め金９を介して取り付けられ、その錘８によって鉤素６を含めた疑似餌１の速やかな沈降が助成されると共に、疑似餌１の烏賊が鉤素６から抜け出さないように取り付けられるのである。
【００２４】
さらに、錘８と釣針７との間の鉤素６に、コーン型の弾性を有する連続気泡のスポンジ材等からなる生餌の匂い含浸部材１０を配設する。この匂い含浸部材１０は、疑似餌１の空洞部１ａ内に位置して膨らみを維持する形状維持機能と、生餌の匂いを少しずつ発散させる役目を果たすものであり、鉤素６に対して着脱自在な構成になっている。
【００２５】
匂い含浸部材１０の具体的な構成は、図２（Ａ）、（Ｂ）に示したように、全体を略円柱状に形成し、長さ方向中心部に鉤素６が挿通される孔１１が設けられると共に、その孔１１に至る切り込み１２が長さ方向の側面に沿って形成されている。このように形成されることで、切り込み１２に沿って側面から鉤素６を強制的に押し込みさえすれば簡単に挿着ができるし、取り外す場合にも切り込み１２側に鉤素６を位置させ、引き剥がすようにすることで簡単に分離することができるのである。
【００２６】
図３、図４に示した第２の実施の形態に係る疑似餌は、大半は前記第１の実施の形態に係る疑似餌１をそのまま使用するものであり、特に、疑似餌１の内部に発光手段１３を配設させる点で相違するものである。従って、前記第１の実施の形態に係る疑似餌１については、説明が重複するので符号のみを付して説明は省略する。
【００２７】
疑似餌１の内部に配設される発光手段１３は、全体として筒状を呈し、電池電源１４と発光ダイオード等からなる発光部１５とから概ね構成されている。そして、匂い含浸部材１０の一部を切り取って凹部１０ａを形成し、該凹部１０ａに嵌め込んで安定した状態で疑似餌１の内部に配設するのである。この場合に、脱落を防止するために紐部材１６が連結されており、該紐部材１６の端部をループ状１６ａにして前記錘８の先端部側に引っ掛けて置けば良いのである。    
【００２８】
なお、発光手段１３は、耐水性の樹脂フィルムからなる袋体に入れ、完全密閉した状態で疑似餌１の内部に配設されるものである。そして、筒状体の内部に例えばコンデンサからなる一種のスイッチ回路が装備されており、該コンデンサに対する充電と放電とによって、発光部１５の発光ダイオードが間欠的に光輝するのであり、それによって使用電池の寿命を長持ちさせることができるし、発光が点滅することによって疑似餌１自体を生きた餌と間違わせて集魚効果を醸し出すのである。また、発光手段１３は、一定の水圧によってプラスとマイナスの電極間が接続される構造になっており、例えば、水深２０ｍを超えたときに前記スイッチ回路がオン状態になって発光部１５が間欠的に点滅する。
【００２９】
次に、図５と図６に基づいて、前記疑似餌１を使用した遠洋漁業のマグロ延縄漁具について説明する。延縄漁具２０は、目印用の漂流旗２１の付いたブイ２２と、位置を確認するためのランプ付のラジオブイ２３と、長尺の幹縄２４と、該幹縄２４に接続した多数本の枝縄２５と、所要間隔で浮き縄２６を介して幹縄２４を支持する多数個の浮き玉２７とからなり、該枝縄２５には適宜のサル桿等を介して前記したような鉤素６が連結され、該鉤素６には疑似餌１が取り付けられている。  
【００３０】
この様な延縄漁具２０は、所要の海域において、船２８を走らせながら順次幹縄２４に枝縄２５を所要間隔で取り付けながら、幹縄２４と枝縄２５と浮き玉２７とを海中に投下して行く。この場合に、疑似餌を使用しない場合には、各枝縄２５の釣針７に烏賊や鯖等の生餌を付けて海中に投下しなければならないので、船の走行速度を極端に落としてその作業を行うようにしている。
【００３１】
しかしながら、釣針７に生餌を取り付ける作業は、釣針７を一方の手の指先でシッカリ摘んで他方の手で生餌を掴み、決められた位置に針先を突き刺して取り付けるものであるが、例えば、延縄の長さが５０ｋｍあって釣針７が２０００本程度あるとすると、船２８の走行速度を１０ｋｍ／ｈｒとすると、５時間掛かることになり、１時間で４００本の釣針７に生餌を取り付けなければならないのであり、約９秒で１本の釣針７に生餌を取り付けなければならなず、休む暇なくこれを繰り返し行うことになるが、その作業は極めて過酷である。
【００３２】
ところで、本発明の疑似餌１を使用することによって、延縄の投入作業は著しく軽減されるのである。即ち、図６に示したように、所要大きさの容器３０の中に、例えば、烏賊または鯖等をミキサーで粉砕したものを入れ、これに所要量の海水を入れて攪拌することで、烏賊または鯖の匂いを海水中に拡散させて濃厚な匂い付海水３１を準備する。この場合に使用する烏賊は５０杯程度で鯖等の魚は２０〜３０匹程度であれば足りる。  
【００３３】
このように準備したところで、延縄漁具２０を海に投下するのであるが、図示したように、枝縄２５の鉤素６に取り付けられている疑似餌１を片手で握り潰した状態で匂い付海水３１中に入れて握り潰しを緩めることで、疑似餌１内の匂い含浸部材１０の復元力により、匂い付海水３１が速やかに吸引されて匂い含浸部材１０の内部に含浸される。この間は精々２秒程度であり、疑似餌１を掴んで匂い付海水３１に漬けて握りを緩めさえすれば必然的に内部の含浸部材１０に匂い付海水３１が含浸されるので、この一連の作業は４秒あれば充分であり、匂い付海水３１を含浸させた疑似餌１はそのまま鉤素６と一緒に海に投下することができる。
【００３４】
そうすると、延縄の長さが５０ｋｍあって疑似餌１を付けた釣針７が２０００本程度有っても、１本の疑似餌１に匂い付海水３１を含浸させて投下するまでの時間が４秒程度であるから、２時間３０分未満で投下処理できることになるのである。従って、船２８の走行速度を２０ｋｍ／ｈｒとしても、２時間３０分で延縄の敷設が可能となり、作業時間が従来の半分以下になって作業効率が著しく向上するのである。
【００３５】
疑似餌１として、前記第２の実施の形態に係る発光手段付のものを使用すれば、より一層釣果を上げることができるのである。いずれにしても、疑似餌１であるが、投下直前に効率よく生餌の匂い付海水３１を包有させることができ、しかも海中において匂い含浸部材１０の外周面が直接的に海水（海流）に接触しない状態であるため、匂い付海水３１が少しずつ周囲に拡散するので、長時間に渡って生餌の匂いを出し続けるので、釣果の向上に繋がるのである。なお、本発明に係る疑似餌１は、繰り返し使用できるのであり、また匂い含有部材１０も洗浄して使用すれば、種々の生餌の匂いを含浸させることができ、使用範囲および頻度が拡大されるのである。さらに、前記実施例として烏賊の疑似餌について説明したが、これに限定されることなく、例えば、鯖、飛び魚、イナダ、鰹などの魚形状のものが当然のこととして含まれるのである。
【産業上の利用可能性】
【００３６】
いずれにしても本発明に係るマグロ延縄用の疑似餌１は、疑似餌１の内部に匂い含浸部材１０を配設したことにより、延縄投下の時点で各疑似餌１を強く握って生餌の匂い付海水３１に漬けて握りを緩めて含浸させるだけであるから、匂い付けと投下の作業効率が著しく向上し、しかも、疑似餌内部に生餌の匂い付海水を包有しているので長時間に渡って生餌の匂いを発散し続けるのであり、延縄漁具として大きな釣果が期待できるばかりでなく、トロール用の疑似餌として使用しても牽引中は生餌の匂いを出し続けるので、やはり釣果が期待できるのである。従って、大形の魚漁において有効に利用できるのであり、その他の釣りにおいても広い範囲で利用することができるのである。
【図面の簡単な説明】
【００３７】
【図１】本発明に係る第１の実施の形態に係る疑似餌を示した断面図である。
【図２】（Ａ）は同疑似餌の内部に配設される匂い含浸部材を側面図、（Ｂ）は同含浸部材の端面図である。
【図３】本発明に係る第２の実施の形態に係る疑似餌を示した断面図である。
【図４】（Ａ）は同疑似餌の内部に配設される匂い含浸部材を側面図、（Ｂ）は同含浸部材の端面図である。
【図５】本発明に係る延縄漁具の投下状況を略示的に示した説明図である。
【図６】同延縄漁具の疑似餌に匂い付海水を含浸させる状況を略示的に示した説明図である。
【符号の説明】
【００３８】
１  疑似餌
１ａ  空洞部
２  耳（鰭）
３  胴部
４  頭部
５  足部
６  鉤素
７  釣針
８  錘
９  止め具
１０  匂い含浸部材
１０ａ  凹部
１１  孔
１２  切り込み  
１３  発光手段
１４  電源部
１５  発光部
１６  紐部材１６
１６ａ  ループ状
２０  延縄漁具
２１  漂流旗
２２  ブイ
２３  ラジオブイ
２４  幹縄
２５  枝縄
２６  浮き縄
２７  浮き玉
３０  容器
３１  匂い付海水
【図１】
2009278953.tif 000003
【図２】
2009278953.tif 000004
【図３】
2009278953.tif 000005
【図４】
2009278953.tif 000006
【図５】
2009278953.tif 000007
【図６】
2009278953.tif 000008